(57)【要約】【課題】携帯情報端末で受信した放送や放送受信装置で受信した放送を放送受信装置でも携帯情報端末でも視聴できる操作性のよい放送視聴システムを提供する。【解決手段】放送視聴システム（１０００）において、携帯情報端末（１０１）は動作を制御する制御部（４）と放送受信装置（６８）に電気的に接続して信号を交換する接続部（１８）を有し、放送受信装置（１０２）は制御部（５４）と携帯情報端末（１０１）と電気的に接続して信号を交換する接続部（６８）とリモコン（７２）による操作指示信号（Ｓｏ）を受信して当該制御部（５４）に入力するリモコン受信部（７１）とを有し、携帯情報端末（１０１）と放送受信装置（１０２）が互いに接続されている場合には携帯情報端末（１０１）はリモコン（７２）により制御される。【選択図】図１
2008252573.tif 000002
【特許請求の範囲】
【請求項１】
携帯情報端末と放送受信装置とが互いに接続して構成される放送視聴システムであって、
前記携帯情報端末は、
当該携帯情報端末の動作を制御する第１の制御信号を生成する第１の制御手段と、
前記放送受信装置に電気的に接続して、信号を当該放送受信装置１０２と交換する第１の信号交換手段とを備え、
前記放送受信装置は、
当該放送受信装置の動作を制御する第２の制御信号を生成する第２の制御手段と
前記携帯情報端末と電気的に接続して、前記第２の制御信号を含む信号を前記携帯情報端末と交換する第２の信号交換手段と、
リモコンによる操作指示信号を受信して前記第２の制御手段に入力する操作信号受信手段とを備え、
前記携帯情報端末と前記放送受信装置が前記第１の信号交換手段および前記第２の信号交換手段によって互いに接続されている場合には、前記第２の制御手段は前記操作指示信号に基づいて生成した前記第２の制御信号によって、第１の制御手段を動作させて当該携帯情報端末を制御することを特徴とする放送視聴システム。
【請求項２】
前記携帯情報端末は、さらに、動作電源である二次電池を備え、
前記放送受信装置は、さらに、充電手段を備え、
前記携帯情報端末と前記放送受信装置が前記第１の信号交換手段および前記第２の信号交換手段によって互いに電気的に接続されている場合には、前記二次電池は前記充電手段によって充電されることを特徴とする請求項２に記載の放送視聴システム。
【請求項３】
前記携帯情報端末は、さらに、
放送から第１の映像信号および第１の音声信号の少なくとも一方を取得する第１の信号取得手段と、
前記第１の信号交換手段および前記第２の信号交換手段を介して前記放送受信装置から取得される第２の映像信号および前記第１の映像信号の少なくとも一方に基づいて画像を表示する第１の表示手段と、
前記第１の制御信号に基づいて、前記第１の表示手段が前記携帯情報端末の軸と成す角度を変える角度変更駆動部とを備える請求項１に記載の放送視聴システム。
【請求項４】
前記携帯情報端末は、さらに、ユーザおよび当該携帯情報端末少なくとも一方の認識情報を記憶するＥＥＰＲＯＭを備える請求項１に記載の放送視聴システム。
【請求項５】
前記携帯情報端末は、さらに、
第１の信号交換手段および前記第２の信号交換手段を介して前記放送受信装置から取得される第２の音声信号および前記第１の音声信号の少なくとも一方に基づいて音声を出力する第１のスピーカ手段と、
前記第１の映像信号および前記第２の映像信号の少なくとも一方に基づいて、前記第１の表示手段で表示する画像を合成する第１の表示合成手段と、
前記第１の音声信号および前記第２の音声信号の少なくとも一方を選択して前記スピーカ手段に出力する第１の音声切換手段とを備え、
前記放送受信装置は、
放送から前記第２の映像信号および前記第２の音声信号の少なくとも一方を取得する第２の信号取得手段と、
前記第２の信号交換手段および前記第１の信号交換手段を介して前記携帯情報端末から取得される前記第１の映像信号および前記第２の映像信号の少なくとも一方に基づいて画像を表示する第２の表示手段と、
前記第２の音声信号および前記第１の音声信号の少なくとも一方に基づいて音声を出力する第２のスピーカ手段と、
前記第２の映像信号および前記第１の映像信号の少なくとも一方に基づいて、前記第２の表示手段で表示する画像を合成する第２の表示合成手段と、
前記第２の音声信号および前記第１の音声信号の少なくとも一方を選択して前記スピーカ手段に出力する第２の音声切換手段とを備える請求項３に記載の放送視聴システム。
【発明の詳細な説明】
【技術分野】
【０００１】
本発明は、放送受信装置および携帯情報端末で構成される放送視聴システムに関する。
【背景技術】
【０００２】
従来の携帯情報端末は、昼間は主にユーザが持ち歩くことを想定して構成されている。つまり、携帯性および可搬性を考慮して、携帯情報端末は二次電池で動作し、夜間は充電器に接続して充電するように構成されているものが多い。また、放送受信装置で記録したデータを、携帯情報端末に転送して、携帯情報端末の記憶装置に格納し、携帯情報端末で、格納したデータを参照する技術（例えば、特許文献１）が提案されている。同技術においては、放送受信装置で受信したデータ放送のデータを二次電池で動作する携帯情報端末に送るのと同時に携帯情報端末の二次電池を充電して、所望の時に携帯情報端末でデータ放送のデータが参照できる。
【特許文献１】特開２００１−１４４６３７号公報
【発明の開示】
【発明が解決しようとする課題】
【０００３】
しかしながら、近年、携帯電話や車載用のテレビ受信装置等の移動体用途において、デジタルテレビ放送の受信技術が開発されている。これにともない、テレビ受信装置を内蔵することによって、屋内外を問わず視聴できる携帯情報端末が実用化されている。しかしながら、放送受信装置で番組視聴しているときは、携帯情報端末は充電等の保守的な扱いはされているが、テレビ視聴やデータ閲覧のような本来の機能は利用されないことが多い。
【０００４】
具体的に言えば、上述の技術で提案されている携帯情報端末にはテレビ受信装置が設けられていない。さらに、携帯情報端末から放送受信装置にデータを送付する仕組みも講ぜられていない。そのために、放送受信装置と携帯情報端末とで同時にテレビ番組を見ることや携帯情報端末で取得したデータを放送受信装置で参照することができず、ハードウェア資産（装置／端末）およびソフトウェア資産（放送番組／データ）を有機的に相互に組み合わせて使用することのシナジー効果を得ることができない。
【０００５】
上述の問題に鑑みて、本発明は、携帯情報端末で受信した放送や放送受信装置で受信した放送を放送受信装置でも携帯情報端末でも視聴できる操作性のよい放送視聴システムを提供することを目的とする。
【課題を解決するための手段】
【０００６】
上記目的を達成するために、本発明は、
携帯情報端末と放送受信装置とが互いに接続して構成される放送視聴システムであって、
前記携帯情報端末は、
当該携帯情報端末の動作を制御する第１の制御信号を生成する第１の制御手段と、
前記放送受信装置に電気的に接続して、信号を当該放送受信装置１０２と交換する第１の信号交換手段と、
前記放送受信装置は、
当該放送受信装置の動作を制御する第２の制御信号を生成する第２の制御手段と
前記携帯情報端末と電気的に接続して、前記第２の制御信号を含む信号を前記携帯情報端末と交換する第２の信号交換手段と、
リモコンによる操作指示信号を受信して前記第２の制御手段に入力する操作信号受信手段とを備え、
前記携帯情報端末と前記放送受信装置が前記第１の信号交換手段および前記第２の信号交換手段によって互いに接続されている場合には、前記第２の制御手段は前記操作指示信号に基づいて生成した前記第２の制御信号によって、第１の制御手段を動作させて当該携帯情報端末を制御することを特徴とする。
【０００７】
前記携帯情報端末は、さらに、動作電源である二次電池を備え、
前記放送受信装置は、さらに、充電手段を備え、
前記携帯情報端末と前記放送受信装置が前記第１の信号交換手段および前記第２の信号交換手段によって互いに電気的に接続されている場合には、前記二次電池は前記充電手段によって充電されることが望ましい。
【０００８】
前記携帯情報端末は、さらに、
放送から第１の映像信号および第１の音声信号の少なくとも一方を取得する第１の信号取得手段と、
前記第１の信号交換手段および前記第２の信号交換手段を介して前記放送受信装置から取得される第２の映像信号および前記第１の映像信号の少なくとも一方に基づいて画像を表示する第１の表示手段と、
前記第１の制御信号に基づいて、前記第１の表示手段が前記携帯情報端末の軸と成す角度を変える角度変更駆動部とを備えることが望ましい。
【０００９】
前記携帯情報端末は、さらに、ユーザおよび当該携帯情報端末少なくとも一方の認識情報を記憶するＥＥＰＲＯＭを備えることが望ましい。
【００１０】
前記携帯情報端末は、さらに、
前記第１の信号交換手段および前記第２の信号交換手段を介して前記放送受信装置から取得される第２の音声信号および前記第１の音声信号の少なくとも一方に基づいて音声を出力する第１のスピーカ手段と、
前記第１の映像信号および前記第２の映像信号の少なくとも一方に基づいて、前記第１の表示手段で表示する画像を合成する第１の表示合成手段と、
前記第１の音声信号および前記第２の音声信号の少なくとも一方を選択して前記スピーカ手段に出力する第１の音声切換手段とを備え、
前記放送受信装置は、
放送から前記第２の映像信号および前記第２の音声信号の少なくとも一方を取得する第２の信号取得手段と、
前記第２の信号交換手段および前記第１の信号交換手段を介して前記携帯情報端末から取得される前記第１の映像信号および前記第２の映像信号の少なくとも一方に基づいて画像を表示する第２の表示手段と、
前記第２の音声信号および前記第１の音声信号の少なくとも一方に基づいて音声を出力する第２のスピーカ手段と、
前記第２の映像信号および前記第１の映像信号の少なくとも一方に基づいて、前記第２の表示手段で表示する画像を合成する第２の表示合成手段と、
前記第２の音声信号および前記第１の音声信号の少なくとも一方を選択して前記スピーカ手段に出力する第２の音声切換手段とを備えることが望ましい。
【発明の効果】
【００１１】
本発明にかかる放送受信装置、および携帯情報端末によれば、放送受信装置と携帯情報端末の相互の接続部を備えることにより、リモコン操作により携帯情報端末で受信した放送やデータを放送受信装置で視聴することや放送受信装置と携帯情報端末で同時に視聴できる。
【発明を実施するための最良の形態】
【００１２】
以下に、図１および図２を参照して、本発明の実施の形態にかかる放送視聴システムについて説明する。図１に示すように、放送視聴システム１０００は携帯情報端末１０１および放送受信装置１０２を含む。なお、携帯情報端末１０１と放送受信装置１０２とは互いに接続されて用いられる。携帯情報端末１０１は、利用者が簡単に抱えて、あるいは手に持って移動させることができる。放送受信装置１０２は家庭に設置され、日常的には移動されることがなく備え付けられて利用される。
【００１３】
携帯情報端末１０１は、アンテナ１、選局部２、復調部３、制御部４、記憶部５、表示部６、スピーカ７、操作部８、ＥＥＰＲＯＭ９、携帯電話送受信部１０、携帯電話用アンテナ１１、二次電池１２、表示合成部１４、音声切換部１５、角度変更駆動部１６、カメラ部１７、接続部１８、および放送受信部１９を含む。アンテナ１は、テレビ放送の電波を受信する。選局部２は、ユーザの操作に応答して、アンテナ１で受信したテレビ放送電波のＲＦ信号から番組のテレビ信号を選局する。
【００１４】
復調部３は、選局されたテレビ信号から映像信号、音声信号、および情報データを復調する。制御部４は、携帯情報端末１０１の各部を制御する。記憶部５は、複合された放送の映像信号、音声信号、および番組情報などのデータを記憶する。なお、アンテナ１、選局部２、復調部３、制御部４、および記憶部５は、放送を受信する放送受信部１９を構成している。
【００１５】
表示部６は、復調された映像信号に基づいて画像を表示する。スピーカ７は、復調された音声信号に基づいて音声を出力する。操作部８は、ユーザが選局などの操作を行うための入力手段であり、電源スイッチやチャンネルのアップ・ダウンキーなどで構成される。電源スイッチは携帯情報端末１０１の駆動電力の供給／遮断に用いられ、アップ・ダウンキーはユーザが視聴を望む番組を選択して携帯情報端末１０１に指示するために用いられる。
【００１６】
ＥＥＰＲＯＭ９は、データの消去と書き込みが可能なＲＯＭであり、ユーザが加入している有料コンテンツのサイトの会員登録情報を保存する。この会員登録情報は、当該有料コンテンツのサイトにアクセスして利用しようとしているユーザ或いは携帯情報端末１０１が、正当であるか否かを判断するための認識情報である。携帯電話送受信部１０は、双方向の通話とともに、電子メールの送受信をおこなう。携帯電話用アンテナ１１は、携帯電話の信号を送受信する。
【００１７】
二次電池１２は、再充電可能で携帯情報端末１０１に駆動電力を供給する。表示合成部１４は、複数の映像信号に基づく画像を表示するために、表示部６の表示領域を各画像に割り振ったり、画像の大きさを変更（拡大、縮小）したり、異なる画像を同一の表示領域に重ねたりして画像を合成する。音声切換部１５は、復調部３で生成される複数の音声信号Ｓａのうちでスピーカ７から音声出力させるものを選択する。
【００１８】
角度変更駆動部１６は、ステッピングモータにより表示部６を回転軸Ａｘに関して所望の角度に開閉させたり、回転軸Ａｘに対して概ね垂直な回転軸Ａｙ（不図示）に対して表示部６を所望の角度に回転させたりする。カメラ部１７は、ユーザの操作に応答して画像を撮影すると共に、撮像データを記憶部５に格納する。
【００１９】
接続部１８は、復調部３とはラインＬ３ｖおよびラインＬ３ａで接続され、制御部４とはラインＬ４で接続され、記憶部５とはラインＬ５で接続されている。なお、接続部１８は、放送受信装置１０２と接続されて、携帯情報端末１０１と放送受信装置１０２とを電気的に接続する。結果、携帯情報端末１０１は接続部１８を介して、放送受信装置１０２とデータの交換が可能であるが、これについては後ほど詳述する。
【００２０】
一方、放送受信装置１０２は、アンテナ５１、選局部５２、復調部５３、制御部５４、記憶部５５、表示部５６、スピーカ５７、操作部５８、表示合成部６４、音声切換部６５、接続部６８、放送受信部６９、充電部７０、およびリモコン受信部７１を含む。アンテナ５１は、テレビ放送の電波を受信する。選局部５２は、ユーザの操作に応答して、アンテナ５１で受信したテレビ放送電波のＲＦ信号から番組のテレビ信号を選局する。
【００２１】
復調部５３は、選局されたテレビ信号から映像信号、音声信号、および情報データを復調する。制御部５４は、放送受信装置１０２の各部を制御する。記憶部５５は、複合された放送の映像信号、音声信号、および番組情報などのデータを記憶する。なお、アンテナ５１、選局部５２、復調部５３、制御部５４、および記憶部５５は、放送を受信する放送受信部６９を構成している。
【００２２】
表示部５６は、復調された映像信号に基づいて画像を表示する。スピーカ５７は、復調された音声信号に基づいて音声を出力する。操作部５８は、ユーザが選局などの操作を行うための入力手段であり、電源スイッチやチャンネルのアップ・ダウンキーなどで構成される。電源スイッチは放送受信装置１０２の駆動電力の供給／遮断に用いられ、アップ・ダウンキーはユーザが視聴を望む番組を選択して放送受信装置１０２に指示するために用いられる。
【００２３】
表示合成部６４は、複数の映像信号に基づく画像を表示するために、表示部５６の表示領域を各画像に割り振ったり、画像の大きさを変更（拡大、縮小）したり、異なる画像を重ねたりして画像を合成する。音声切換部６５は、復調部５３で生成される複数の音声信号Ｓａのうちでスピーカ５７に送るものを選択する。
【００２４】
充電部７０は、接続部６８および接続部１８を介して、携帯情報端末１０１の二次電池１２の充電に用いられる。リモコン受信部７１は、ユーザの操作に応答してリモコン７２から出力された操作指示信号Ｓｏを受信する。なお、リモコン７２は通常放送受信装置１０２に対する操作指示機能の他に携帯情報端末１０１に対する操作指示機能も有している。
【００２５】
接続部６８は、復調部５３とラインＬ５３で接続され、制御部５４とはラインＬ５４で接続され、記憶部５５とはラインＬ５５で接続され、表示合成部６４とはラインＬ６４で接続され、音声切換部６５とはラインＬ６５で接続されている。そして、携帯情報端末１０１の接続部１８が放送受信装置１０２の接続部６８と接続されると、携帯情報端末１０１のラインＬ３ａ、ラインＬ３ｖ、ラインＬ４、ラインＬ５、ラインＬ１２、およびラインＬ１４が、それぞれ放送受信装置１０２のラインＬ６５、ラインＬ６４、ラインＬ５４、ラインＬ５５、ラインＬ７０、およびラインＬ５３と接続される。
【００２６】
結果、復調部３（携帯情報端末１０１）と音声切換部６５（放送受信装置１０２）とがラインＬ３ａおよびラインＬ６５を介して接続される。同様に、復調部３はさらに表示合成部６４（放送受信装置１０２）とラインＬ３ｖおよびラインＬ６４を介して接続される。
【００２７】
制御部４（携帯情報端末１０１）と制御部５４（放送受信装置１０２）とがラインＬ４およびラインＬ５４を介して接続され、記憶部５（携帯情報端末１０１）と記憶部５５（放送受信装置１０２）とがラインＬ５およびラインＬ５５を介して接続され、二次電池１２（携帯情報端末１０１）と充電部７０（放送受信装置１０２）がラインＬ１２およびラインＬ７０を介して接続され、表示合成部１４（携帯情報端末１０１）と復調部５３（放送受信装置１０２）がラインＬ１４およびラインＬ５３を介して接続される。
【００２８】
図２に、携帯情報端末１０１が放送受信装置１０２に接続されている状態を示す。放送受信装置１０２の上部もしくは側面に接続部６８が設けられている。好ましくは、接続部６８は、放送受信装置１０２の接続部１８に電気的に接続するばかりでなく、機械的にも接続部１８を安定的に保持（例えば、嵌合）できるように構成されている。携帯情報端末１０１は、接続部１８が接続部６８に例えば挿入されることによって、放送受信装置１０２に接続されると共に固定される。
【００２９】
携帯情報端末１０１の接続部１８は、表示部６とは、対極の位置に設け、接続部６８にさしても、表示部６が隠れないように構成される。また、接続部１８が、接続部６８に挿入されて、携帯情報端末１０１が固定されても、表示部６は向きを変えられるように構成されている。つまり、携帯情報端末１０１の表示部６と接続部１８との間は、折れ曲がったり、回転したりするように構成されている。
【００３０】
携帯情報端末１０１と放送受信装置１０２とが接続された状態では、映像信号Ｓｖ、音声信号Ｓａ、および制御信号Ｓｃが相互に交換される。制御部４と制御部５４は、互いに接続されたか否かをポーリングもしくは割り込みでチェックする。接続されると制御部４と制御部５４とは接続されたことを感知する。そして、制御部５４はマスタとして機能し、制御部４はスレイブとして機能する。つまり、制御部４は、制御部５４の指示で動作する。
【００３１】
リモコン受信部７１に伝えられたユーザによるリモコン７２の操作（指示）は、制御部５４に伝わる。そして、制御部５４は制御部５４から伝えられたユーザの操作に基づいて制御部４を動作させる。つまり、ユーザはリモコン７２を操作することで、携帯情報端末１０１を操作できる。
【００３２】
図１に戻って、携帯情報端末１０１で、受信した放送の映像信号Ｓｖは、ラインＬ３ｖ、接続部１８、接続部６８、およびラインＬ６４を介して、表示合成部６４（放送受信装置１０２）に供給される。音声信号Ｓａは、ラインＬ３ａ、接続部１８、接続部６８、およびラインＬ６５を介して音声切換部６５に供給される。
【００３３】
表示合成部６４は制御部５４によって制御されて表示合成を行い、表示合成された画像信号を表示部５６に出力する。同様に、音声切換部６５は制御部５４によって制御されて音声切換を行い、選択された音声信号をスピーカ５７に出力する。
【００３４】
なお、放送受信装置１０２が受信した放送の映像信号Ｓｖは、復調部５３、ラインＬ５３、接続部６８、接続部１８、およびラインＬ１４を介して、携帯情報端末１０１の表示合成部１４に供給される。同様に、音声信号Ｓａは、復調部５３、ラインＬ５３ａ、ラインＬ１５を介して、音声切換部１５（携帯情報端末１０１）に供給される。
【００３５】
表示合成部１４は、ラインＬ４、接続部１８、接続部６８、およびラインＬ５４を介して伝えられる制御部５４の指示によって動作する制御部４によって制御されて、表示合成を行う。表示合成された画像信号は、表示部６に出力される。同様に、音声切換部１５は、制御部５４の指示によって動作する制御部４によって制御されて、音声切換をおこなう。選択された音声信号Ｓａはスピーカ７に出力される。
【００３６】
上述のように本発明においては、携帯情報端末１０１を放送受信装置１０２に接続することによって、携帯情報端末１０１および放送受信装置１０２の一方で受信した放送を他方で視聴できる。また、放送受信装置１０２に具備されたリモコン７２を用いて、携帯情報端末１０１を放送受信装置１０２と同様の操作性で視聴できる。携帯情報端末１０１は携帯性ゆえに操作ボタンなどが小さく構成されていて一般的に操作性が劣る、本発明においては放送受信装置１０２のリモコンによって操作性が改善される。
【００３７】
さらに、携帯情報端末１０１および放送受信装置１０２のそれぞれが個別に記憶部５および記憶部５５に格納した放送データ（映像信号、音声信号、番組情報等）Ｄを交換でき、必要に応じて交換したデータを記憶できる。結果、携帯情報端末１０１と放送受信装置１０２との接続が解除された後も、携帯情報端末１０１および放送受信装置１０２のそれぞれで交換された放送データＤを再生して視聴できる。
【００３８】
携帯情報端末１０１を駆動する二次電池１２は、ラインＬ１２、接続部１８、接続部６８、およびラインＬ７０を介して、放送受信装置１０２に設けられた充電部７０によって充電できる。結果、携帯情報端末１０１と放送受信装置１０２とが接続された状態で、携帯情報端末１０１および放送受信装置１０２の何れかを視聴しながら、あるいは記憶部５および記憶部５５に格納されている放送データＤを転送しながら、同時に二次電池１２を充電できる。
【００３９】
上述のように、携帯情報端末１０１は、表示部６と接続部１８との間が回転軸Ａｘに関して折れ曲がったり、回転軸Ａｙに関して回転したりできるような構成されている。この曲げたり回転したりする部分に、制御部４の指示で動作する角度変更駆動部１６が設けられている。携帯情報端末１０１が放送受信装置１０２に接続されている時に、制御部４は制御部５４のスレイブになるので、ユーザはリモコン７２を操作することによって、角度変更駆動部１６を制御して携帯情報端末１０１の表示部６を見やすい角度にすることができる。携帯情報端末１０１の表示部６は、一般的に視野角を狭くしてあるので、表示部６の角度調整機能は非常に望ましい。
【００４０】
有料コンテンツを視聴する方法として、ＥＥＰＲＯＭに有料コンテンツの会員情報を格納して、有料コンテンツのサイトにアクセスしダウンロードできる。視聴時にＥＥＰＲＯＭの会員情報を参照して、暗号化した有料コンテンツの暗号を解きながら、映像信号あるいは音声信号を再生して視聴することもできる。また、放送局と契約して、暗号化された放送を受信しＥＥＰＲＯＭの会員情報を参照して、暗号化した有料番組の暗号を解きながら視聴することもできる。
【００４１】
さらに、携帯情報端末１０１と放送受信装置１０２とが接続されている時には、携帯情報端末１０１で暗号化を解いた有料コンテンツの映像信号或いは音声信号を放送受信装置１０２に送り、放送受信装置１０２の表示部５６およびスピーカ５７で視聴できる。携帯情報端末１０１は携帯性ゆえに表示部６やスピーカ７の性能は限られているが、ユーザは放送受信装置１０２の表示合成部６４や音声切換部６５を利用することによって、より高品位な画像や音声を楽しむことができる。
【００４２】
携帯情報端末１０１で選局中の放送を放送受信装置１０２に切り換えるには、以下に述べる２つの方法がある。第１の方法は、放送受信部１９で受信した放送を、表示部５６あるいはスピーカ５７で出力することである。この方法は、携帯情報端末１０１の性能により、放送受信装置１０２での表示は、メイン画面のような大きな画面では、映像品質が高くない可能性がある。
【００４３】
第２の方法は、携帯情報端末１０１の選局情報を放送受信装置１０２に送って放送受信装置１０２のチャンネルを切替えることである。この場合、選局に若干時間を要してしまう点を以下に述べるよう解消する。先ず、携帯情報端末１０１から映像信号Ｓｖおよび音声信号Ｓａを、放送受信装置１０２の表示合成部６４および音声切換部６５に供給する。表示合成部６４は子画面を作成して、表示部５６の子画面に携帯情報端末１０１から供給された映像信号Ｓｖに基づく画像を表示させる。音声切換部６５は、携帯情報端末１０１から供給された音声信号Ｓａをスピーカ５７に出力させる。
【００４４】
さらに、制御部４は、制御部５４に対して選局情報を送る。制御部５４は選局部５２を制御部４から送られた選局情報が表すチャンネルに設定する。選局部５２は選局ができると、復調部５３は映像信号Ｓｖおよび音声信号Ｓａを復調する。復調された映像信号Ｓｖおよび音声信号Ｓａは、それぞれ表示合成部６４および音声切換部６５を介して表示部５６およびスピーカ５７に出力される。そして、携帯情報端末１０１から放送受信装置１０２に切替わる時には、携帯情報端末１０１の映像信号Ｓｖと音声信号Ｓａの同期を取って、表示部５６のメイン画面に表示される。
【００４５】
携帯電話送受信部１０が受信した電子メールは、記憶部５に格納される。同様に、携帯電話送受信部１０でダウンロードした音楽データも、記憶部５に格納される。また、カメラ部１７で撮影した写真データも記憶部５に格納される。そして、記憶部５に格納されたそれらのデータは、復調部３で映像信号Ｓｖと音声信号Ｓａに変換されて、それぞれ表示部６とスピーカ７とに出力される。携帯情報端末１０１と放送受信装置１０２とが接続された場合、これらの信号は放送受信装置１０２の表示部５６とスピーカ５７に出力される。
【００４６】
携帯情報端末１０１と放送受信装置１０２との間のデータ（信号）通信に関しては、複数ビットの並列信号は高速クロックを用いて直列信号に変換することにより、接続部１８および接続部６８のピン数を減らすことができる。また、著作権保護のために機器の出力信号に暗号化が必要な場合、出力信号に関しては復調部３と接続部１８との間、復調部５３と接続部６８との間に暗号部を設け、入力信号に関しては接続部１８と表示合成部１４および音声切換部１５との間、接続部１８と表示合成部１４および音声切換部１５との間に暗号解読部を設けてもよい。
【００４７】
上述のように、本発明においては、携帯情報端末で受信した放送や放送受信装置で受信した放送を、携帯情報端末を放送受信装置に接続し、リモコンを操作して、放送受信装置でも、携帯情報端末でも、その放送を視聴できる。また、放送受信装置は、充電部を備えることにより、携帯情報端末を充電しながら、携帯情報端末で視聴することができる。さらに、携帯情報端末は、角度変更駆動部と備えることにより、リモコン操作により、携帯情報端末の表示部を見やすい角度に動かすことができる。また、携帯情報端末にＥＥＰＲＯＭを備え、そこに認識情報を格納することにより、携帯情報端末で有料コンテンツをダウンロードして、放送受信装置で視聴することができる。
【産業上の利用可能性】
【００４８】
本発明は、放送受信装置および携帯情報端末を組み合わせてそれぞれで放送を視聴できる放送視聴システムに利用できる。
【図面の簡単な説明】
【００４９】
【図１】本発明の実施の形態にかかる放送受信装置および携帯情報端末の構成を示すブロック図
【図２】図１の放送受信装置に携帯情報端末が接続された様子を示す説明図
【符号の説明】
【００５０】
１、５１    アンテナ
２、５２    選局部
３、５３    復調部
４、５４    制御部
５、５５    記憶部
６、５６    表示部
７、５７    スピーカ
８、５８    操作部
９    ＥＥＰＲＯＭ
１０    携帯電話送受信部
１１    携帯電話用アンテナ
１２    二次電池
１４、６４    表示合成部
１５、６５    音声切換部
１６    角度変更駆動部
１７    カメラ部
１８、６８    接続部
１９、６９    放送受信部
７０    充電部
７１    リモコン受信部
７２    リモコン
１０１    携帯情報端末
１０２    放送受信装置
１０００    放送視聴システム
【図１】
2008252573.tif 000003
【図２】
2008252573.tif 000004